(57)【要約】  スクリュー圧縮機は吐出室３３を有しており、吐出室３３はスクリュー圧縮機の対向する場所に位置する２つの圧縮室３２から圧縮流体の交互の流れを受ける。吐出室３３は２つの流れを分離する中央じゃま板３６を有する。じゃま板３６は、システムの流体振動数を変化させ、流体システムが圧縮機全体の固有振動数に達する振動数で稼動しないようにし、その結果、好ましくない振動を軽減することを保証する。じゃま板はまた変動やその結果生ずる音の大きさを軽減する。
2007528960.tif 000002
【特許請求の範囲】
【請求項１】
圧縮する流体を受け入れ、その流体を圧縮する圧縮ポンプユニットであって、少なくとも２つの圧縮室を有し、この２つの圧縮室が、吐出ハウジング内に画定された単一の吐出室に圧縮冷媒を送る圧縮ポンプユニットと、
前記吐出室内部に設けられ、かつ前記２つの圧縮室の間に位置する少なくとも一つのじゃま板と、
を有することを特徴とする圧縮機。
【請求項２】
前記じゃま板は、前記吐出室を概ね二等分することを特徴とする請求項１に記載の圧縮機。
【請求項３】
前記圧縮ポンプユニットは、一つの中央ドライブスクリューと２つの側部スクリューとを有するスクリュー圧縮機であり、前記２つの圧縮室の一つが、中央スクリューと各々の側部スクリューとの間に画定されることを特徴とする請求項２に記載の圧縮機。
【請求項４】
前記吐出室は、前記圧縮室に隣接する上流側から下流側へと断面積が減少することを特徴とする請求項１に記載の圧縮機。
【請求項５】
前記圧縮室は、圧縮冷媒を、吐出プレート内の吐出ポートを通して、前記単一の吐出室へと送り、前記吐出ポートは、前記じゃま板の各々対向する側に位置することを特徴とする請求項１に記載の圧縮機。
【請求項６】
圧縮される流体を受けるとともに、この流体を圧縮するスクリュー圧縮機であって、このスクリュー圧縮機ユニットは、中心ドライブスクリューと対向側部スクリューの一つとの間に各々画定される少なくとも２つの圧縮室を有し、この２つの圧縮室が吐出ハウジング内に画定された単一の吐出室に圧縮冷媒を送るとともに、対応する吐出ポートを有する吐出プレートを通して前記単一の吐出室へと圧縮流体を送るスクリュー圧縮機と、
前記吐出室内部に設けられるとともに前記２つの吐出ポートの間に位置し、かつ前記吐出室をほぼ二等分するじゃま板と、
を備えてなる圧縮機。
【請求項７】
前記吐出ポートが、前記圧縮室に隣接する上流側から下流側へと断面積が減少することを特徴とする請求項６に記載の圧縮機。
【発明の詳細な説明】
【技術分野】
【０００１】
この発明は、複数の周期的な吐出流を持つタイプの圧縮機において、吐出室を副室に分割するじゃま板の使用に関するものである。
【背景技術】
【０００２】
様々な流体を圧縮するために様々な種類の圧縮機が使用されている。ある一般的なタイプの圧縮機では、圧縮室からの圧縮流体の流れは複数の圧縮室から周期的に起こる。例として、３つのローターを持つスクリュー圧縮機では、１つの中央スクリューと２つの側部スクリューそれぞれとの間に２組の圧縮セットができる。これらの２組は吐出ポートを通して吐出室へと圧縮冷媒を定期的に吐出する。これらのポートは吐出室のそれぞれ対向する位置にある。吐出室が一つしか利用されなければ、吐出室内の条件によっては、周期的な変動が生じる可能性がある。このような圧縮吐出構造の一例はスクリュー圧縮機のハウジングという名称の米国特許第６，４８８，４８０号に開示されている。
【発明の開示】
【発明が解決しようとする課題】
【０００３】
このような３スクリュー圧縮機では、周期的な吐出が流体振動をつくりだすが、それは圧縮機の稼動速度の想定範囲内の圧縮速度において、圧縮機全体の固有機械振動数に達するものである。これら２つの振動が互いに近づくと、受容しがたい振動が起こる。また、変動やそれに伴う騒音の大きさはこうした現行の圧縮機においては好ましくないほど大きい。
【課題を解決するための手段】
【０００４】
本発明の開示された実施例では、圧縮機は吐出室中心線の両側にある吐出ポートへ圧縮流体を送る。吐出室は２つのポートの間に分離じゃま板を有する。好ましい実施例では、圧縮機は３スクリュー圧縮機であり、じゃま板は本質的に吐出室の中心線に沿って配置される。更なる特徴は、吐出室はいくらか円錐台形をしており、上流位置から下流位置にかけて縮小し、それに伴い中心じゃま板もまた同じような一般的に縮小する特徴を持つ。
【発明を実施するための最良の形態】
【０００５】
図１には圧縮機２０が示されており、中央ドライブスクリュー２２と２つの対向スクリュー２４，２６とを収容するハウジング２１を有する。吐出プレート２８は、圧縮室３２から圧縮冷媒を受け、この圧縮冷媒をプレート２８内の吐出ポート（図１には示されていない）を通して出口ハウジング３４の吐出室３３へと送る。周知のように、冷媒は、吸入ポート３０を通して運ばれ、スクリュー２２，２４、およびスクリュー２２，２６の間で吐出ポート３２に向けて圧縮される。図示するように、じゃま板３６は一般的に吐出室３３の中央に配置される。吐出室３３の大きさは外部ハウジング３４の内周面３８に沿って縮小している。上述したように、じゃま板３６がなければ、ときには圧縮機２０において望ましくない振動や騒音、変動が起こる。じゃま板３６は、圧縮機２０の通常の運転領域において上記の振動が起こらないように、システムの流体振動数を変化させるのに役立つ。また、変動や騒音の大きさも著しく軽減される。
【０００６】
図２で示したように、じゃま板３６は一般的に吐出室を半分に分ける。図示したように、圧縮室３２に付随して吐出ポート１３２があり、上述したように吐出プレート２８を通して延びている。
【０００７】
図３で模式図的に示すように、吐出室３３はじゃま板３６を有し、じゃま板３６は符号３８で模式的に示すように「くびれた（necked)」、あるいはいくらか円錐台の形をしている。図示したように、くびれた部分３８の上流端４１は吐出プレート２８に取り付けられ、下流端４２は出口パイプ４０に連結している。図３は形状３８を円錐台形に簡略化しているが、実際の形状は図１によく示されているように一般的にカーブした形状となりうる。互いに概ね直交する方向から見た図である図３と図１の組み合わせから正しく認識できるように、吐出室３３の「縮小（necking down)」は、２つの断面図のうちの一方のみではなく、両方の寸法に沿って見られる。
【０００８】
図４は吐出室３３を二等分するじゃま板３６を示す。じゃま板３６を用いることにより、流体の流れの振動数は、圧縮機２０の想定されるいかなる運転領域下でも、圧縮機構造の固有振動数に近づかない。このようにして、上述した好ましくない振動は起こらない。また、変動の大きさも軽減される。
【０００９】
本発明はスクリュー圧縮機と組み合わせて活用することが最も望ましいが、圧縮機の両側に吐出ポートの組を持つ、他のタイプの圧縮機も本発明から利益を受けうる。もちろん、単一の吐出室をじゃま板の使用により分離するという概念は２つより多い圧縮室をもつ圧縮機にも拡張することができる。さらに、２つの圧縮室を有する場合でも、２つ以上のじゃま板を、流体振動に対してさらに大きな制御を加えることができるように活用することができる。
【００１０】
本発明の最良の実施例を説明したが、当業者には特定の修正も本発明の範囲内であることが理解できるであろう。従って、請求の範囲が本発明の真の範囲を画定する為に検討されるべきである。
【図面の簡単な説明】
【００１１】
【図１】本発明が適用された圧縮機を示す図。
【図２】本発明の吐出室を端部側から見た図。
【図３】幾分簡略化した断面図。
【図４】幾分簡略化した端面を示す図。
【図１】
2007528960.tif 000003
【図２】
2007528960.tif 000004
【図３】
2007528960.tif 000005
【図４】
2007528960.tif 000006
【国際調査報告】
2007528960.tif 000007